(57)【特許請求の範囲】
【請求項１】
本体に外気吸込口と室内空気排気口、外気給気口、室内空気吸込口を有し、
この本体の内部には前記外気吸込口から導入された外気が室内に供給される給気送風経路と、
前記室内空気吸込口から導入された室内の空気を屋外に排気する排気送風経路を有し、前記給気送風経路と前記排気送風経路とが交差する位置に室内空気と外気との熱交換を行う熱交換素子を配置した熱交換形換気装置において、
前記熱交換素子に隣接して、室内温度を検知して装置の運転制御を行う回路組が設けられ、
この回路組には、前記熱交換素子の排気吸込口に隣接した部分に開口を設けて室内温度センサを配接し、
前記回路組は、前記室内温度センサを設けた空間と、前記回路組内部の回路基板を設けた空間とを樹脂リブにより区画し、
前記室内温度センサの検知部が前記回路基板と同一空間にないことを特徴とする熱交換形換気装置。
【請求項２】
前記室内空気吸込口は、本体底面側に設けられ、
前記回路組に設けた操作部と前記室内温度センサを底面側に設けた開口部から前記室内空気吸込口側に露出させた請求項１に記載の熱交換形換気装置。
【請求項３】
前記回路組に突出部を設け、この突出部内に室外温度センサを固定し、
前記突出部を前記給気送風経路内に位置させた請求項１または２に記載の熱交換形換気装置。
【発明の詳細な説明】
【技術分野】
【０００１】
本発明は、外気と室内空気を熱交換する熱交換形換気装置に関するものである。
【背景技術】
【０００２】
従来、この種の熱交換形換気装置は、制御部を熱交換形換気装置の外郭側面に設け、温度センサを筐体内部に設けたものが知られている（例えば、特許文献１参照）。
【０００３】
以下、その熱交換形換気装置について、図８を参照しながら説明する。
【０００４】
図８に示すように、熱交換形換気装置は筐体１０１と、筐体１０１内の中央部に配置された熱交換素子１０２と、筐体１０１に取り付けられた外気吸込口１０３、外気吹出口１０４、室内空気吸込口１０５、および室内空気吹出口１０６とを備えている。また、筐体１０１内に配置された給気ファン１０７、排気ファン１０８、風路切替部１０９、第１室内温度センサ１１０、第２室内温度センサ１１１、および室外温度センサ１１２と、風路切替部１０９の動作を制御する演算・制御部１１３と、演算・制御部１１３の入力装置として機能する指令入力部１１４も備えている。
【０００５】
第１室内温度センサ１１０は、筐体１０１内での外気吹出口１０４側の領域に配置されて、熱交換素子１０２を流下した外気の温度を検知する。また、第２室内温度センサ１１１は、筐体１０１内での室内空気吸込口１０５側の領域に配置されて、室内空気吸込口１０５から筐体１０１内に流入した室内空気の温度を検知する。そして、室外温度センサ１１２は筐体１０１内での外気吸込口１０３側の領域に配置されて、外気吸込口１０３から筐体１０１内に流入した外気の温度を検知する。そして、これらの温度センサの検知結果を基に風路切替部１０９の動作を制御する、演算・制御部１１３は筐体１０１の外殻側面に固定される。
【先行技術文献】
【特許文献】
【０００６】
【特許文献１】特開２００９−２５０４５１号公報
【発明の概要】
【発明が解決しようとする課題】
【０００７】
このような従来の熱交換形換気装置においては、筐体１０１の外殻側面に設けた演算・制御部１１３から各温度センサまでリード線を引き回す必要がある。そのため、製品の組み立て性が悪化するという課題を有していた。
【０００８】
そこで本発明は、上記従来の課題を解決するものであり、製品への固定が容易で、温度測定の精度が高いセンサの取り付けを行なうことができる熱交換形換気装置を提供することを目的とする。
【課題を解決するための手段】
【０００９】
そして、この目的を達成するために、本発明は、本体に外気吸込口と室内空気排気口、外気給気口、室内空気吸込口を有し、この本体の内部には前記外気吸込口から導入された外気が室内に供給される給気送風経路と、前記室内空気吸込口から導入された室内の空気を屋外に排気する排気送風経路を有し、前記給気送風経路と前記排気送風経路とが交差する位置に室内空気と外気との熱交換を行う熱交換素子を配置した熱交換形換気装置において、前記熱交換素子に隣接して、室内温度を検知して装置の運転制御を行う回路組が設けられ、この回路組には、前記熱交換素子の排気吸込口に隣接した部分に開口を設けて室内温度センサを配接したものであり、これにより所期の目的を達成するものである。
【発明の効果】
【００１０】
本発明によれば、本体に外気吸込口と室内空気排気口、外気給気口、室内空気吸込口を有し、この本体の内部には前記外気吸込口から導入された外気が室内に供給される給気送風経路と、前記室内空気吸込口から導入された室内の空気を屋外に排気する排気送風経路を有し、前記給気送風経路と前記排気送風経路とが交差する位置に室内空気と外気との熱交換を行う熱交換素子を配置した熱交換形換気装置において、前記熱交換素子に隣接して、室内温度を検知して装置の運転制御を行う回路組が設けられ、この回路組には、前記熱交換素子の排気吸込口に隣接した部分に開口を設けて室内温度センサを配接した構成にしたことにより、回路組内部に室内温度センサを取り付けるため、室内温度センサのリード線の引き回しが短くなり、また、熱交換素子の排気吸込口への流入経路に回路組の開口穴があるため、熱交換素子への流入空気の温度を直接測定することができるので、製品への固定が容易で、温度測定の精度が高いセンサの取り付けを行なうことができるという効果を得ることができる。
【図面の簡単な説明】
【００１１】
【図１】本発明の実施の形態１の熱交換形換気装置を示す下方斜視図
【図２】同熱交換形換気装置を示す下方斜視図
【図３】同熱交換形換気装置を示す側面断面図
【図４】同熱交換形換気装置を示す分解斜視図
【図５】同熱交換形換気装置の室内側構造を示す下方斜視図
【図６】同熱交換形換気装置の回路組を示す分解斜視図
【図７】同熱交換形換気装置の別の形態を示す回路組の分解斜視図
【図８】従来の熱交換形換気装置を示す部分縦断面図
【発明を実施するための形態】
【００１２】
本発明に係る熱交換形換気装置は、本体に外気吸込口と室内空気排気口、外気給気口、室内空気吸込口を有し、
この本体の内部には前記外気吸込口から導入された外気が室内に供給される給気送風経路と、
前記室内空気吸込口から導入された室内の空気を屋外に排気する排気送風経路を有し、
前記給気送風経路と前記排気送風経路とが交差する位置に室内空気と外気との熱交換を行う熱交換素子を配置した熱交換形換気装置において、
前記熱交換素子に隣接して、室内温度を検知して装置の運転制御を行う回路組が設けられ、
この回路組には、前記熱交換素子の排気吸込口に隣接した部分に開口を設けて室内温度センサを配接するという構成を有する。これにより、回路組内部に室内温度センサを取り付けるため、室内温度センサのリード線の引き回しが短くなり、また、熱交換素子の排気吸込口への流入経路に回路組の開口があるため、熱交換素子への流入空気の温度を直接測定することができるので、室内温度センサのリード線引き回しが容易となるため、製品の組み立て工数低減を図ることができ、さらに、熱交換素子の排気吸込口への流入空気の温度を高い精度で測定することができるという効果を奏する。
【００１３】
また、前記回路組は、前記室内温度センサを設けた空間と、前記回路組内部の回路基板を設けた空間とを樹脂リブにより区画した構成にしてもよい。これにより、室内温度センサは回路組の開口により、室内空気と連通することとなるが、回路基板は室内空気と連通することがないので、室内温度センサの検知部が回路基板と同一空間にないため、回路基板の発熱による影響を受けにくくすることができ、また、室内空気の浸入により回路基板に塵埃等が付着することによる故障を防ぐことができるという効果を奏する。
【００１４】
また、前記室内空気吸込口は、本体底面側に設けられ、前記回路組に設けた操作部と前記室内温度センサを底面側に設けた開口部から前記室内空気吸込口側に露出させたことにより、室内側からスイッチ操作できるとともに、室内側の温度を精度良く検出することができる。
【００１５】
また、前記回路組に突出部を設け、この突出部内に室外温度センサを固定し、前記突出部を前記給気送風経路内に位置させたことにより、室外温度センサが製品へ流入する室外空気と連通する構成にしてもよい。これにより、回路組内部に室外温度センサを取り付けるため、室外温度センサのリード線の引き回しが短くなり、また、回路組の外部へリード線が露出することがないので、室外温度センサのリード線引き回しが容易となり、また、回路組から外部に露出するセンサリード線がないため、製品の組み立て時に噛み込み等の作業ミスがなくなり、組み立て性が良いという効果を奏する。
【００１６】
以下、本発明の実施の形態について図面を参照しながら説明する。
【００１７】
（実施の形態１）
熱交換形換気装置の本体１は、建物内の屋根裏空間または、１階天井裏空間に設置される。
【００１８】
図１に示すように、本体１は高さ方向が３辺の内で最も低い直方体の形状をしており、（図２に示す）天井面５に対し平行に設置されている。本体１の短手方向の片側側面には外気吸込口２と室内空気排気口３を有し、それぞれ約直径１００ｍｍのダクト（図示せず）が接続できる形状となっており、外気吸込口２と室内空気排気口３に接続したダクトは建物外壁面まで引き回して建物外の外気と連通することとなる。ダクトを接続する部分は、例えば１００ｍｍのダクトの内側に入る直径の筒状の樹脂を、本体１を形成する発泡部品と一体成型して外気吸込口２、または室内空気排気口３を形成している。これらの外気吸込口２、室内空気排気口３は、本体１の側面に配設し、筒状の樹脂をガイドとしてダクトを挿入し、接続部をテープで固定してダクト接続する。
【００１９】
また、本体１の外気吸込口２と室内空気排気口３を有する片側側面の対面には外気給気口４を複数個有し、それぞれ約直径５０ｍｍ（図示せず）のダクトが接続できる形状となっている。外気給気口４に接続した複数本の小口径ダクト（図示せず）は各居室の天井と連通されて室内へ外気を給気する。ダクトを接続する部分の形状としては、外気吸込口２と室内空気排気口３の形状と同様に、円筒状の樹脂を換気装置の本体１を形成する発泡部品と一体成型し、この樹脂の円筒をガイドとしてダクトを挿入して固定する。
【００２０】
一方、図２に示すように本体１の下面の室内と連通させる手段として、天井面５を挟んで室内側から本体１にルーバー枠６が取り付けられ、ルーバー枠６に対して開閉可能なメンテナンスパネル７がルーバー枠６に取り付けられている。メンテナンスパネル７はフィルターが一体となった格子部８を有しており、この格子部８は室内空気吸込口９として、室内空気を取り込み本体１へと導く。
【００２１】
図３に示すように、本体１の内部には屋外からダクトを介して導入された外気が室内に供給される給気送風経路１０と、室内空気吸込口９から室内の空気を屋外に強制的に排気する排気送風経路１１を有している。これらの給気送風経路１０と排気送風経路１１には、給気羽根１２と排気羽根１３が１つの電動機１４を挟んで回転軸方向の両側に設けられている。電動機１４は、板金１５に固定されている。この板金１５を挟み込むように発泡材料で形成された給気ケーシング１６と排気ケーシング１７が、板金１５にねじで固定されている。
【００２２】
電動機１４を固定している板金１５は換気装置の本体１の下方にある天井面５と平行に配置されており、給気送風経路１０と排気送風経路１１は板金１５を挟んで本体１の上・下に形成している。給気送風経路１０は本体１を施工した状態で室内側となり、排気送風経路１１はその対面側に設けている。電動送風機１８は、電動機１４、板金１５、給気羽根１２、排気羽根１３と給気ケーシング１６、排気ケーシング１７により構成されており、換気装置の本体１の外気給気口４と室内空気吸込口９を有した側面側に配接されている。
【００２３】
また、給気送風経路１０と排気送風経路１１とが交差する位置に室内空気と外気とが熱交換される熱交換素子１９を本体１の内部に有している。
【００２４】
熱交換素子１９は室内からの排気空気の熱を回収して屋外からの給気空気に与える機能を有している。
【００２５】
排気送風経路１１で熱交換素子１９へ流入する空気は、熱交換素子１９の下方、つまり、室内の天井面側に面した熱交換素子１９の排気吸込口２０から吸い込むこととなる。熱交換素子１９の排気吸込口２０は換気装置の本体１の下面の室内と連通している。
【００２６】
次に、図４により室内に連通する部分の構成を示す。
【００２７】
天井面５を挟んで換気装置の本体１とルーバー枠６が取り付けられ、ルーバー枠６に対して開閉可能なメンテナンスパネル７がルーバー枠６に取り付けられている。そして、ユーザーがメンテナンスをする際は、メンテナンスパネル７を開けて、粗塵・防虫フィルター２１、および給気清浄フィルター２２を引き出してフィルターの掃除を行うことができる。さらには、熱交換素子１９の掃除もメンテナンスパネル７を開けて行うことができる。また、メンテナンスパネル７はフィルターが一体となった格子部８を有しており、室内空気は格子部８から換気装置の本体１へ取り込まれ、熱交換素子１９へと導かれる。
【００２８】
図３、および図４に示すように外気吸込口２から導入された空気には粗塵や虫などが混入している場合がある。そのため、外気吸込口２に隣接して形成された粗塵・防虫フィルター２１を本体１に下方から着脱可能に設けている。粗塵・防虫フィルター２１は粗塵が捕集できる程度の大きさの網目をもつネットフィルター（図示せず）を一体成型して有している。粗塵や虫などはこの粗塵・防虫フィルター２１で捕集され、さらに微細な粉塵は粗塵・防虫フィルター２１の下流側に隣接して設けられる給気清浄フィルター２２により捕集される。そして、外気はこれらのフィルターにより清浄された状態で室内へ給気されることとなる。給気清浄フィルター２２は粗塵・防虫フィルター２１よりも細かな粉塵を捕集するため、厚みがある立体的な形をしたものが適している。
【００２９】
次に、本体１の風路構成を図３、図４から説明する。
【００３０】
給気送風経路１０の構成としては、外気吸込口２から本体１の内部に取り込まれた外気はまず粗塵・防虫フィルター２１を通過し、粗塵・防虫フィルター２１と隣接した給気清浄フィルター２２を通過して外気が清浄される。そして、本体１の長手方向に対しておよそ中央部に配置した熱交換素子１９を通過して電動送風機１８の給気ケーシング１６に入り、電動機１４で送風されて外気給気口４へ送られてダクトを通じて室内へと給気される。
【００３１】
また、排気送風経路１１の構成としては、天井面５に取り付けたルーバー枠６と前記ルーバー枠６に取り付けたメンテナンスパネル７の格子部８から取り入れた室内空気はまず熱交換素子１９の室内空気吸込口９へと入り、熱交換素子１９を本体１の下方から上方へと向かって流入する。そして、本体１の上面内部に設けられた電動送風機１８の排気ケーシング１７に入り、電動機１４で送風され、熱交換素子１９の横に配置した排気風路を通過し、室内空気排気口３からダクトを通じて屋外へと空気が排気される。
【００３２】
また、図５および図６に示すように熱交換素子１９に隣接して回路組２３が設けられている。回路組２３に内臓している制御基板２４は、天井面５に対し、垂直の向きに置かれているため、本体１の上下方向には長く、幅方向には狭い形となっている。また、本体１の外郭は板金で構成されており、メンテナンスパネル７を開けて、室内と連通する外郭面として底カバー２５が板金にて構成されている。底カバー２５の一部を切り欠いた状態にして回路組２３の一部が室内側に露出している。この室内に露出している回路組２３の一部に操作部となる操作スイッチ２６を設け、この操作スイッチ２６を操作することにより、風量調整とリモコンに表示されるフィルターお掃除サインの頻度を変更することができる。さらに、室内に露出している回路組２３の角部２７に室内温度センサ２８を設け、さらに、室内温度センサ２８の近傍に設けた開口２９により外殻と連通している。このように、回路組２３内部に室内温度センサ２８を取り付けるため、回路組２３の外部へリード線が露出することがない。そして、本体１の組み立ての時、リード線の噛み込み不良が生じないため、組み立て性が良くなり、本体１の組み立て工数の低減、および工程不良の低減を図ることができる。
【００３３】
また、室内温度センサ２８の開口２９は、熱交換素子１９に隣接しているとともに、熱交換素子１９の排気吸込口２０へ流入する空気の風路内にある。そのため、熱交換素子１９の排気吸込口２０へ流入する空気、つまり室内空気の温度を直接測定することができる。通常、故障の原因になるため、ユーザーが触れる部分に温度センサを露出して固定することはなく、温度センサを保護するカバー等によりユーザーが直接触れない対策をする。しかし、回路組２３の内部に室内温度センサ２８を固定し、開口２９により連通する方法により、ユーザーが直接室内温度センサ２８に触れることなく、さらに、室内空気の温度を直接測定することができる。このため、室内温度を高い精度で測定することができる。
【００３４】
図６に回路組２３の構成を示す。
【００３５】
主に回路組２３は回路ケース３０と回路カバー３１という２つの樹脂部品を有し、制御基板２４を回路ケース３０に固定し、回路カバー３１をかぶせて回路ケース３０に固定している。そして、回路ケース３０の室内側へ露出する部分の角部２７に室内温度センサ固定部３２があり、室内温度センサ固定部３２は制御基板２４がある区画とは樹脂リブ３３により空間が分けられている。そのため、室内温度センサ２８は回路組２３の開口２９により、室内空気と連通することとなるが、室内温度センサ２８の検知部が制御基板２４と同一空間にないため、制御基板２４の発熱による影響を受け難くすることができる。また、室内空気の浸入により制御基板２４に塵埃等が付着することによる故障を防ぐことができる。
【００３６】
（実施の形態２）
実施の形態１と同様の構成要素を持つが、さらに、室外温度センサを本体に内蔵している熱交換形換気装置について図７を用いて説明する。
【００３７】
実施の形態１と同様に回路組２３内部に室内温度センサ固定部３２があり、回路ケース３０に回路基板となる制御基板２４と室内温度センサ２８を固定して回路カバー３１をかぶせて回路ケース３０に固定する。そして、本形態においては室外温度センサ（図示せず）は、回路ケース３０から突出した室外温度センサ固定部３４に取り付けられている。このようにして、回路組２３に室内温度センサ２８と室外温度センサを内蔵した状態にしている。また、室内温度センサ２８と同様に室外温度センサも開口３５を持ち、外殻と連通した構造となる。
【００３８】
そして、回路組２３を本体１に固定することにより、室外温度センサ固定部３４は本体１内部の給気送風経路１０に連通することになる。このような構造とすることにより、回路組２３内部に室外温度センサを取り付けるため、室外温度センサのリード線の引き回しが短くなり、また、回路組２３の外部へリード線が露出することがなく、本体１の組み立ての時、リード線の噛み込み不良が生じないため、組み立て性が良くなる。
【産業上の利用可能性】
【００３９】
本発明にかかる熱交換形換気装置は、外気と室内空気の熱交換を目的とするダクト式の熱交換気装置、ダクト式の空気調和装置などの用途として有効である。
【符号の説明】
【００４０】
１    本体
２    外気吸込口
３    室内空気排気口
４    外気給気口
９    室内空気吸込口
１０  給気送風経路
１１  排気送風経路
１９  熱交換素子
２３  回路組
２８  室内温度センサ
２９  開口
３２  室内温度センサ固定部
３３  樹脂リブ
【図１】
0005994101.tif 000002
【図２】
0005994101.tif 000003
【図３】
0005994101.tif 000004
【図４】
0005994101.tif 000005
【図５】
0005994101.tif 000006
【図６】
0005994101.tif 000007
【図７】
0005994101.tif 000008
【図８】
0005994101.tif 000009